(57)【要約】【課題】冷却効果を有する回転子を提供する。【解決手段】回転軸２８が貫通した回転子鉄心３６の内部にマグネット４０が収納された回転子２６において、回転子鉄心３６の両端部をモールド樹脂によってモールドしてカバー部４２を形成し、このカバー部４２の外周部に沿って径方向の溝４４をモールドと同時に複数設け、この複数の溝４４が回転時に羽根の効果を果たし、風を起こして回転子２６を冷却する。【選択図】      図２
2007174840.tif 000002
【特許請求の範囲】
【請求項１】
回転軸が貫通した回転子鉄心の内部に複数のマグネットが軸方向に収納された回転子において、
前記回転子鉄心の両端部をモールド樹脂によってモールドしてカバー部を形成し、
前記カバー部の外周部に沿って径方向の溝を前記モールドと同時に複数設けた
ことを特徴とする回転子。
【請求項２】
前記溝を前記カバー部に等角度毎に設けた
ことを特徴とする請求項１記載の回転子。
【請求項３】
前記回転子がブラシレスＤＣモータの回転子である
ことを特徴とする請求項１記載の回転子。
【発明の詳細な説明】
【技術分野】
【０００１】
本発明は、ブラシレスＤＣモータ等のモータの回転子に関するものである。
【背景技術】
【０００２】
従来のブラシレスモータ等のモータの回転子は、円形の鋼板を積層し回転子鉄心を形成し、この回転子鉄心内部にマグネットを挿入している。そして、このマグネットが回転子鉄心から抜脱しないようにするために、回転子鉄心の両側をモールド樹脂によってモールドしてカバー部を形成している（例えば、特許文献１参照）。
【特許文献１】特開２００４−４８８２９公報
【発明の開示】
【発明が解決しようとする課題】
【０００３】
上記のような回転子においては、モータが回転すると摩擦、エネルギー損失等によって回転子が発熱し高温となる。それに伴い、マグネットフラックスの低下等により、モータ特性が低下するという問題点がある。
【０００４】
そこで、本発明は上記問題点に鑑み、冷却効果を有する回転子を提供する。
【課題を解決するための手段】
【０００５】
請求項１に係る発明は、回転軸が貫通した回転子鉄心の内部に複数のマグネットが軸方向に収納された回転子において、前記回転子鉄心の両端部をモールド樹脂によってモールドしてカバー部を形成し、前記カバー部の外周部に沿って径方向の溝を前記モールドと同時に複数設けたことを特徴とする回転子である。
【０００６】
請求項２に係る発明は、前記溝を前記カバー部に等角度毎に設けたことを特徴とする請求項１記載の回転子である。
【０００７】
請求項３に係る発明は、前記回転子がブラシレスＤＣモータの回転子であることを特徴とする請求項１記載の回転子である。
【発明の効果】
【０００８】
本発明の回転子であると、カバー部に設けられた複数の溝が、羽根の役割を果たし、回転子が回転するとこの溝によって風が起こり回転子が冷却される。
【発明を実施するための最良の形態】
【０００９】
以下、本発明の一実施形態のモールドモータ１０について、図１、図２に基づいて説明する。このモールドモータ１０は、ブラシレスＤＣモータである。
【００１０】
図１は、モールドモータ１０の縦断面図である。
【００１１】
鋼板を積層した固定子鉄心１２にプレモールドを施すことにより絶縁層１４を形成し、この絶縁層１４にコイル１６が巻回されている。これによってリング状の固定子１８が形成される。
【００１２】
固定子１８の出力側の面には、ドーナツ状のプリント配線基板よりなる配線基板２０が設けられている。この配線基板２０は、絶縁層１４によって構成された支持壁に支持されている。配線基板２０には、モールドモータ１０を駆動する電子部品が取り付けられている。このモールドモータ１０は、ブラシレスＤＣモータであるため、インバータ回路、論理回路等の電子部品が取り付けられ、ＰＷＭ制御を行っている。また、外周部にコネクタ４２が取り付けられている。
【００１３】
上記のように配線基板２０と固定子１８とコネクタ４２をモールド樹脂によって一体成形され、モータフレーム２２が形成されている。このモータフレーム２２は、円筒状であり、また、出力側の面には、金属製のブラケット２４が一体に埋設されている。この出力側のブラケット２４の内周側は、モータフレーム２２から露出した状態となっている。
【００１４】
このモータフレーム２２の内部に回転子２６を回転自在に収納する。回転子２６は、複数の鋼板を積層した円形の回転子鉄心３６と、この回転子鉄心３６の中心部を貫通した回転軸２８を有している。また、回転軸２８の外周にある軸方向の挿入孔に、４枚の板状のマグネット４０がそれぞれ挿入されている。このマグネット４０が回転子鉄心３６から抜脱しないようにするために、回転子鉄心３６の両端部にはモールド樹脂によってカバー部４２，４２が円板状にモールド成形されている。この円板状のカバー部４２は、図２に示すように回転子鉄心３６の外周部が内周側よりもリング状に突出し、その突出したリング状の外周部に複数の溝４４が等角度毎に径方向に設けられている。このように外周部を突出させるのは、回転子２６の回転のバランスを調整するためであり、溝４４は後から説明するように羽根の役割をする。
【００１５】
回転軸２８の両端にはそれぞれ止め輪４６が取り付けられ、この止め輪４６に、ボールベアリング３０，３２がそれぞれ固定される。
【００１６】
上記のようにして組み立てた回転子２６をモータフレーム２２内部に収納し、出力側のボールベアリング３０を金属製のブラケット２４に取り付ける。そして、反出力側のブラケット３４を被せる。最後に、振動防止用のゴム３８，４０をそれぞれブラケット２８，３４の外側に取り付ける。
【００１７】
上記のようにして組み立てたモールドモータ１０を回転させると、回転子２６が高速で回転する。この場合にカバー部４２の外周部に設けられた溝４４が羽根の役割を果たし風を起こして、マグネットフラックスの低下等によるモータ特性の低下を防止することができる。
【００１８】
また、カバー部４２の外周部をリング状に突出させることにより、回転子２６の回転バランスを調整することができ、高速回転時にモールドモータ１０の静音化を図ることができる。
【００１９】
本発明は上記各実施形態に限らず、その主旨を逸脱しない限り種々に変更することができる。
【００２０】
例えば、溝４４の深さ及びその数は、回転子２６の回転バランスが取れるように調整する。また、溝４４を等角度毎でなく、回転バランスを取るために、不規則な角度で設けてもよい。
【産業上の利用可能性】
【００２１】
本発明は、エアーコンデショナーの室内機や室外機用のファンモータとして好適である。
【図面の簡単な説明】
【００２２】
【図１】本発明の一実施形態のモールドモータの縦断面図である。
【図２】回転子の斜視図である。
【図３】回転子の縦断面図である。
【符号の説明】
【００２３】
１０  モールドモータ
１８  固定子
２２  モータフレーム
２４  ブラケット
２６  回転子
２８  出力側の回転軸
２９  反出力側の回転軸
３０  ボールべアリング
３２  ボールべアリング
３４  ブラケット
３６  回転子鉄心
４０  マグネット
４２  カバー部
４４  溝
４６  止め輪
【図１】
2007174840.tif 000003
【図２】
2007174840.tif 000004
【図３】
2007174840.tif 000005